(57)【要約】      （修正有）【課題】クレヨンを取ること又は置くことに便利なクレヨンケースを提供する。【解決手段】クレヨンケースは、下主体１０を含み、挟み溝４４の後側内壁には挟みブロック１４が左右対称的にヒンジにより装着され、前記挟みブロックの片側端面と前記挟み溝の片側内壁との間には前記挟みブロックを推し動かしてクレヨンを放させることができる押圧バネ１５が固定的に装着され、上主体と下主体３４とが閉じられた後、ゴムパッド４６がクレヨンと直接に接触し、且つクレヨンを置き板１８に固定でき、クレヨンを保護してクレヨンが折れることを防止する。クレヨンを取る時、ボタンを押し、挟みブロックが押圧バネの作用のもとでクレヨンを放すことができ、クレヨンを取り出すことができる。【選択図】図１
2020175150.tif 000002
【特許請求の範囲】
【請求項１】
正面視で、下主体を含み、前記下主体には上主体がヒンジにより装着され、前記下主体の中にはクレヨンをきつく挟むことができる固定部品が設置され、前記固定部品は前記下主体の中に設置された挟み溝を含み、前記挟み溝の後側内壁には挟みブロックが左右対称的にヒンジにより装着され、前記挟みブロックの片側端面と前記挟み溝の片側内壁との間には前記挟みブロックを推し動かしてクレヨンを放させることができる押圧バネが固定的に装着され、前記挟み溝の底壁には前記挟み溝に連通している支持ロッド溝が設置され、前記支持ロッド溝の中にはクレヨンを支持できる支持ロッドがスライドできるように装着され、前記支持ロッドの頂面には置き板が固定的に装着され、前記支持ロッドには推しロッドが固定的に装着され、前記推しロッドと前記挟み溝の底壁との間には推力バネが固定的に装着され、前記挟みブロックの前側端面には第一固定棒状体が固定的に装着され、前記第一固定棒状体が前記推しロッドとスライドできるように連結され、クレヨンが前記支持ロッドを押して下方へ運動させる時、これにより前記推しロッドが前記第一固定棒状体を押し動かし、前記第一固定棒状体が前記挟みブロックを連動させてクレヨンをきつく挟み、前記支持ロッド溝の底壁には固定フックが固定的に装着され、前記固定フックは前記支持ロッドの前側端面に設置された引っ掛かり歯に引っ掛かることができ、これにより前記支持ロッドを固定し、前記上主体には上主体内溝が設置され、前記上主体内溝の中にはクレヨンが折れることを防止できる保護部品が設置され、前記保護部品は前記上主体内溝の中にスライドできるように装着された補助クレヨンケースを含み、前記補助クレヨンケースの底部端面にはスライド蓋がスライドできるように装着され、前記スライド蓋の底部端面には第一スライドカバーが固定的に装着され、前記第一スライドカバーの中には第二スライドカバーがスライドできるように装着され、前記第二スライドカバーと前記第一スライドカバーとの間には調節バネが固定的に装着され、これにより直径の大きさが異なるクレヨンに対応でき、前記第二スライドカバーの底部端面には直接にクレヨンと接触できるゴムパッドが固定的に装着され、前記下主体と前記上主体の右側端面にはケース全体を閉鎖できるバックル部品が設置され、前記バックル部品は前記下主体の右側端面に固定的に装着されたロックフックと、前記上主体の右側端面に固定的に装着されたバックル箱とを含み、前記バックル箱の中にはロックリング溝が設置され、前記ロックリング溝の下側内壁と前記バックル箱の下側端面との間にはロックリングがスライドできるように装着され、前記ロックリングと前記ロックフックとが互いに引っ掛かって止め、ケースを閉鎖することができることを特徴とするクレヨンケース。
【請求項２】
前記固定部品は前記支持ロッド溝の前側に設置されたボタンスライド溝を含み、前記ボタンスライド溝の中にはボタンがスライドできるように装着され、前記ボタンスライド溝と前記支持ロッド溝との間にはスライドロッド溝が連通するように設置され、前記スライドロッド溝の中にはスライドロッドがスライドできるように装着され、前記スライドロッドの前側端面と前記スライドロッド溝の前側内壁との間にはスライドロッドバネが固定的に装着され、前記スライドロッドと前記固定フックとの間には引きひもが固定的に連結され、前記引きひもの左側端面には第二固定棒状体が固定的に装着され、前記第二固定棒状体が前記ボタンとスライドできるように連結されていることを特徴とする請求項１に記載のクレヨンケース。
【請求項３】
前記保護部品はまた前記補助クレヨンケースの中に設置された第一置きチャンバと第二置きチャンバとを含み、前記第一置きチャンバの前後内壁には保護クレヨン差しが前後対称的に固定的に装着され、前記上主体の頂壁と前記第一置きチャンバの頂部端面との間にはショック吸収ブロックが固定的に装着されていることを特徴とする請求項１に記載のクレヨンケース。
【請求項４】
前記バックル部品はまた、前記ロックリング溝の右側内壁に設置され、且つ前記バックル箱の右側端面に連通している推しヘッドスライド溝を含み、前記ロックリングの右側端面には推しヘッドが固定的に装着され、前記推しヘッドが前記推しヘッドスライド溝とスライドできるように装着され、前記ロックリング溝の頂壁と前記ロックリングの頂部端面との間には引き動かしバネが固定的に装着されていることを特徴とする請求項１に記載のクレヨンケース。
【発明の詳細な説明】
【技術分野】
【０００１】
本発明は文具用品分野を取り上げて、具体的にはクレヨンケースである。
【背景技術】
【０００２】
クレヨンを置く時、一般的にクレヨンケースにクレヨンを引っかからせることができるプラスチック製クレヨン止めを置き、プラスチック製クレヨン止めはクレヨンが落ちないことを保証できるが、クレヨンを取る時に非常に不便であり、特に取る時、力を入れすぎるとクレヨンを折ってしまうことがあり、クレヨンを置くことにも子供の使用にも不便であり、しかも従来のクレヨンケースの中の空間が小さく、クレヨンを置く空間が有限である。
【先行技術文献】
【特許文献】
【０００３】
【特許文献１】中国特許出願公開第１０１２０９１５１号明細書
【発明の概要】
【発明が解決しようとする課題】
【０００４】
本発明はクレヨンケースを提供し、従来技術における上記欠点を解消することを目的とする。
【課題を解決するための手段】
【０００５】
本発明の実施例のクレヨンケースは、下主体を含み、前記下主体には上主体がヒンジにより装着され、前記下主体の中にはクレヨンをきつく挟むことができる固定部品が設置され、前記固定部品は前記下主体の中に設置された挟み溝を含み、前記挟み溝の後側内壁には挟みブロックが左右対称的にヒンジにより装着され、前記挟みブロックの片側端面と前記挟み溝の片側内壁との間には前記挟みブロックを推し動かしてクレヨンを放させることができる押圧バネが固定的に装着され、前記挟み溝の底壁には前記挟み溝に連通している支持ロッド溝が設置され、前記支持ロッド溝の中にはクレヨンを支持できる支持ロッドがスライドできるように装着され、前記支持ロッドの頂面には置き板が固定的に装着され、前記支持ロッドには推しロッドが固定的に装着され、前記推しロッドと前記挟み溝の底壁との間には推力バネが固定的に装着され、前記挟みブロックの前側端面には第一固定棒状体が固定的に装着され、前記第一固定棒状体が前記推しロッドとスライドできるように連結され、クレヨンが前記支持ロッドを押して下方へ運動させる時、これにより前記推しロッドが前記第一固定棒状体を押し動かし、前記第一固定棒状体が前記挟みブロックを連動させてクレヨンをきつく挟み、前記支持ロッド溝の底壁には固定フックが固定的に装着され、前記固定フックは前記支持ロッドの前側端面に設置された引っ掛かり歯に引っ掛かることができ、これにより前記支持ロッドを固定し、前記上主体には上主体内溝が設置され、前記上主体内溝の中にはクレヨンが折れることを防止できる保護部品が設置され、前記保護部品は前記上主体内溝の中にスライドできるように装着された補助クレヨンケースを含み、前記補助クレヨンケースの底部端面にはスライド蓋がスライドできるように装着され、前記スライド蓋の底部端面には第一スライドカバーが固定的に装着され、前記第一スライドカバーの中には第二スライドカバーがスライドできるように装着され、前記第二スライドカバーと前記第一スライドカバーとの間には調節バネが固定的に装着され、これにより直径の大きさが異なるクレヨンに対応でき、前記第二スライドカバーの底部端面には直接にクレヨンと接触できるゴムパッドが固定的に装着され、前記下主体と前記上主体の右側端面にはケース全体を閉鎖できるバックル部品が設置され、前記バックル部品は前記下主体の右側端面に固定的に装着されたロックフックと、前記上主体の右側端面に固定的に装着されたバックル箱とを含み、前記バックル箱の中にはロックリング溝が設置され、前記ロックリング溝の下側内壁と前記バックル箱の下側端面との間にはロックリングがスライドできるように装着され、前記ロックリングと前記ロックフックとが互いに引っ掛かって止め、ケースを閉鎖することができる。
【０００６】
更の技術プランとしては、前記固定部品は前記支持ロッド溝の前側に設置されたボタンスライド溝を含み、前記ボタンスライド溝の中にはボタンがスライドできるように装着され、前記ボタンスライド溝と前記支持ロッド溝との間にはスライドロッド溝が連通するように設置され、前記スライドロッド溝の中にはスライドロッドがスライドできるように装着され、前記スライドロッドの前側端面と前記スライドロッド溝の前側内壁との間にはスライドロッドバネが固定的に装着され、前記スライドロッドと前記固定フックとの間には引きひもが固定的に連結され、前記引きひもの左側端面には第二固定棒状体が固定的に装着され、前記第二固定棒状体が前記ボタンとスライドできるように連結されている。
【０００７】
更の技術プランとしては、前記保護部品はまた前記補助クレヨンケースの中に設置された第一置きチャンバと第二置きチャンバとを含み、前記第一置きチャンバの前後内壁には保護クレヨン差しが前後対称的に固定的に装着され、前記上主体の頂壁と前記第一置きチャンバの頂部端面との間にはショック吸収ブロックが固定的に装着されている。
【０００８】
更の技術プランとしては、前記バックル部品はまた、前記ロックリング溝の右側内壁に設置され、且つ前記バックル箱の右側端面に連通している推しヘッドスライド溝を含み、前記ロックリングの右側端面には推しヘッドが固定的に装着され、前記推しヘッドが前記推しヘッドスライド溝とスライドできるように装着され、前記ロックリング溝の頂壁と前記ロックリングの頂部端面との間には引き動かしバネが固定的に装着されている。
【発明の効果】
【０００９】
本発明の有益効果は：本発明はクレヨンを取ること又は置くことに便利を与え、クレヨンを置くところに保護できるゴムパッドが設置され、クレヨンケースの中には二つ目のペンを置くことができるケースが設置され、クレヨンケースの貯蔵空間を増大し、子供の使用に適し、普及する価値がある。
【図面の簡単な説明】
【００１０】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の全体構成模式図
【図２】図２は図１のＡ−Ａ方向の断面構成模式図
【図３】図３は図１のＢ−Ｂ方向の断面構成模式図
【図４】図４は図１のＣ方向の構成模式図
【図５】図５は図１のＤ−Ｄ方向の断面構成模式図
【発明を実施するための形態】
【００１２】
図１〜５を参照し、本発明の実施例のクレヨンケースは、下主体１０を含み、前記下主体１０には上主体３４がヒンジにより装着され、前記下主体１０の中にはクレヨンをきつく挟むことができる固定部品８０が設置され、前記固定部品８０は前記下主体１０の中に設置された挟み溝４４を含み、前記挟み溝４４の後側内壁には挟みブロック１４が左右対称的にヒンジにより装着され、前記挟みブロック１４の片側端面と前記挟み溝４４の片側内壁との間には前記挟みブロック１４を推し動かしてクレヨンを放させることができる押圧バネ１５が固定的に装着され、前記挟み溝４４の底壁には前記挟み溝４４に連通している支持ロッド溝１１が設置され、前記支持ロッド溝１１の中にはクレヨンを支持できる支持ロッド１２がスライドできるように装着され、前記支持ロッド１２の頂面には置き板１８が固定的に装着され、前記支持ロッド１２には推しロッド１７が固定的に装着され、前記推しロッド１７と前記挟み溝４４の底壁との間には推力バネ１３が固定的に装着され、前記挟みブロック１４の前側端面には第一固定棒状体１６が固定的に装着され、前記第一固定棒状体１６が前記推しロッド１７とスライドできるように連結され、クレヨンが前記支持ロッド１２を押して下方へ運動させる時、これにより前記推しロッド１７が前記第一固定棒状体１６を押し動かし、前記第一固定棒状体１６が前記挟みブロック１４を連動させてクレヨンをきつく挟み、前記支持ロッド溝１１の底壁には固定フック４３が固定的に装着され、前記固定フック４３は前記支持ロッド１２の前側端面に設置された引っ掛かり歯に引っ掛かることができ、これにより前記支持ロッド１２を固定し、前記上主体３４には上主体内溝２５が設置され、前記上主体内溝２５の中にはクレヨンが折れることを防止できる保護部品８１が設置され、前記保護部品８１は前記上主体内溝２５の中にスライドできるように装着された補助クレヨンケース２３を含み、前記補助クレヨンケース２３の底部端面にはスライド蓋２２がスライドできるように装着され、前記スライド蓋２２の底部端面には第一スライドカバー２０が固定的に装着され、前記第一スライドカバー２０の中には第二スライドカバー１９がスライドできるように装着され、前記第二スライドカバー１９と前記第一スライドカバー２０との間には調節バネ２１が固定的に装着され、これにより直径の大きさが異なるクレヨンに対応でき、前記第二スライドカバー１９の底部端面には直接にクレヨンと接触できるゴムパッド４６が固定的に装着され、前記下主体１０と前記上主体３４の右側端面にはケース全体を閉鎖できるバックル部品８２が設置され、前記バックル部品８２は前記下主体１０の右側端面に固定的に装着されたロックフック３３と、前記上主体３４の右側端面に固定的に装着されたバックル箱２７とを含み、前記バックル箱２７の中にはロックリング溝２８が設置され、前記ロックリング溝２８の下側内壁と前記バックル箱２７の下側端面との間にはロックリング３２がスライドできるように装着され、前記ロックリング３２と前記ロックフック３３とが互いに引っ掛かって止め、ケースを閉鎖することができる。
【００１３】
前記固定部品８０は前記支持ロッド溝１１の前側に設置されたボタンスライド溝３６を含み、前記ボタンスライド溝３６の中にはボタン３７がスライドできるように装着され、前記ボタンスライド溝３６と前記支持ロッド溝１１との間にはスライドロッド溝３８が連通するように設置され、前記スライドロッド溝３８の中にはスライドロッド４１がスライドできるように装着され、前記スライドロッド４１の前側端面と前記スライドロッド溝３８の前側内壁との間にはスライドロッドバネ３９が固定的に装着され、前記スライドロッド４１と前記固定フック４３との間には引きひも４２が固定的に連結され、前記引きひも４２の左側端面には第二固定棒状体４０が固定的に装着され、前記第二固定棒状体４０が前記ボタン３７とスライドできるように連結され、これによりクレヨンを置く時、直接にクレヨンを下方へ押して置き板１８に置き、これにより推しロッド１７が挟みブロック１４を推し動かしてクレヨンを挟み、置き板１８が支持ロッド１２を推し動かして下方へスライドさせ、これにより支持ロッド１２にある引っ掛かり歯と固定フック４３とが互いに引っ掛かって止め、支持ロッド１２の位置を固定でき、クレヨンを取る時、ボタン３７を押し、ボタン３７がスライドロッド４１を推し動かして前方へ運動させ、スライドロッド４１が引きひも４２を引き動かし、引きひも４２が固定フック４３を引き動かし、これにより固定フック４３と支持ロッド１２にある引っ掛かり歯とが互いに引っ掛からなく、推力バネ１３が推しロッド１７と支持ロッド１２を推し動かして上方へスライドさせることができ、挟みブロック１４が押圧バネ１５の作用のもとでクレヨンを放すことができ、クレヨンを取り出すことができる。
【００１４】
前記保護部品８１はまた前記補助クレヨンケース２３の中に設置された第一置きチャンバ３５と第二置きチャンバ４７とを含み、前記第一置きチャンバ３５の前後内壁には保護クレヨン差し２６が前後対称的に固定的に装着され、前記上主体３４の頂壁と前記第一置きチャンバ３５の頂部端面との間にはショック吸収ブロック２４が固定的に装着され、これにより上主体３４と下主体１０とが閉じられた後、ゴムパッド４６がクレヨンと直接に接触し、且つクレヨンを置き板１８に固定でき、クレヨンを保護してクレヨンが折れることを防止し、第一置きチャンバ３５の中にペンなどを置くことができ、保護クレヨン差し２６はクレヨンの先を保護できる。
【００１５】
前記バックル部品８２はまた、前記ロックリング溝２８の右側内壁に設置され、且つ前記バックル箱２７の右側端面に連通している推しヘッドスライド溝３０を含み、前記ロックリング３２の右側端面には推しヘッド３１が固定的に装着され、前記推しヘッド３１が前記推しヘッドスライド溝３０とスライドできるように装着され、前記ロックリング溝２８の頂壁と前記ロックリング３２の頂部端面との間には引き動かしバネ２９が固定的に装着され、これにより下主体１０と上主体３４とを閉じた後、推しヘッド３１を推し動かしてロックリング３２を下方へスライドさせ、ロックリング３２とロックフック３３とが引っ掛かった後また解放され、引き動かしバネ２９がロックリング３２とロックフック３３とをずっと引っ掛かるようにすることができ、これによりクレヨンケースをロックする。
【００１６】
使用する時、上主体３４と下主体１０とが閉じられた後、ゴムパッド４６がクレヨンと直接に接触し、且つクレヨンを置き板１８に固定でき、クレヨンを保護してクレヨンが折れることを防止し、推しヘッド３１を推し動かしてロックリング３２を下方へスライドさせ、ロックリング３２とロックフック３３とが引っ掛かった後また解放され、引き動かしバネ２９がロックリング３２とロックフック３３とをずっと引っ掛かるようにすることができ、これによりクレヨンケースをロックし、下方へ推しヘッド３１を推し動かし、これにより上主体３４と下主体１０とが分離した後、直接にクレヨンを下方へ押して置き板１８に置き、これにより推しロッド１７が挟みブロック１４を推し動かしてクレヨンを挟み、置き板１８が支持ロッド１２を推し動かして下方へスライドさせ、これにより支持ロッド１２にある引っ掛かり歯と固定フック４３とが互いに引っ掛かって止め、支持ロッド１２の位置を固定でき、クレヨンを取る時、ボタン３７を押し、ボタン３７がスライドロッド４１を推し動かして前方へ運動させ、スライドロッド４１が引きひも４２を引き動かし、引きひも４２が固定フック４３を引き動かし、これにより固定フック４３と支持ロッド１２にある引っ掛かり歯とが互いに引っ掛からなく、推力バネ１３が推しロッド１７と支持ロッド１２を推し動かして上方へスライドさせることができ、挟みブロック１４が押圧バネ１５の作用のもとでクレヨンを放すことができ、クレヨンを取り出すことができ、補助クレヨンケース２３からスライド蓋２２を開け、第一置きチャンバ３５と第二置きチャンバ４７を開け、第一置きチャンバ３５の中にペンなどを置くことができ、保護クレヨン差し２６はクレヨンの先を保護でき、第二置きチャンバ４７の中に小物を置くことができる。
【００１７】
本発明の有益効果は：本発明はクレヨンを取ること又は置くことに便利を与え、クレヨンを置くところに保護できるゴムパッドが設置され、クレヨンケースの中には二つ目のペンを置くことができるケースが設置され、クレヨンケースの貯蔵空間を増大し、子供の使用に適し、普及する価値がある。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020175150.tif 000003
【図２】
2020175150.tif 000004
【図３】
2020175150.tif 000005
【図４】
2020175150.tif 000006
【図５】
2020175150.tif 000007
【手続補正書】
【提出日】令和1年11月5日(2019.11.5)
【手続補正１】
【補正対象書類名】特許請求の範囲
【補正対象項目名】全文
【補正方法】変更
【補正の内容】
【特許請求の範囲】
【請求項１】
正面視で、下主体を含み、前記下主体には上主体がヒンジにより装着され、前記下主体の中にはクレヨンをきつく挟むことができる固定部品が設置され、前記固定部品は前記下主体の中に設置された挟み溝を含み、前記挟み溝の後側内壁には挟みブロックが左右対称的にヒンジにより装着され、前記挟みブロックの片側端面と前記挟み溝の片側内壁との間には前記挟みブロックを推し動かしてクレヨンを放させることができる押圧バネが固定的に装着され、前記挟み溝の底壁には前記挟み溝に連通している支持ロッド溝が設置され、前記支持ロッド溝の中にはクレヨンを支持できる支持ロッドがスライドできるように装着され、前記支持ロッドの頂面には置き板が固定的に装着され、前記支持ロッドには推しロッドが固定的に装着され、前記推しロッドと前記挟み溝の底壁との間には推力バネが固定的に装着され、前記挟みブロックの前側端面には第一固定棒状体が固定的に装着され、前記第一固定棒状体が前記推しロッドとスライドできるように連結され、クレヨンが前記支持ロッドを押して下方へ運動させる時、これにより前記推しロッドが前記第一固定棒状体を押し動かし、前記第一固定棒状体が前記挟みブロックを連動させてクレヨンをきつく挟み、前記支持ロッド溝の底壁には固定フックが固定的に装着され、前記固定フックは前記支持ロッドの前側端面に設置された引っ掛かり歯に引っ掛かることができ、これにより前記支持ロッドを固定し、前記上主体には上主体内溝が設置され、前記上主体内溝の中にはクレヨンが折れることを防止できる保護部品が設置され、前記保護部品は前記上主体内溝の中にスライドできるように装着された補助クレヨンケースを含み、前記補助クレヨンケースの底部端面にはスライド蓋がスライドできるように装着され、前記スライド蓋の底部端面には第一スライドカバーが固定的に装着され、前記第一スライドカバーの中には第二スライドカバーが上下方向にスライドできるように装着され、前記第二スライドカバーと前記第一スライドカバーとの間には調節バネが固定的に装着され、これにより直径の大きさが異なるクレヨンに対応でき、前記第二スライドカバーの底部端面には直接にクレヨンと接触できるゴムパッドが固定的に装着され、前記下主体と前記上主体の右側端面にはケース全体を閉鎖できるバックル部品が設置され、前記バックル部品は前記下主体の右側端面に固定的に装着されたロックフックと、前記上主体の右側端面に固定的に装着されたバックル箱とを含み、前記バックル箱の中にはロックリング溝が設置され、前記ロックリング溝の下側内壁と前記バックル箱の下側端面との間にはロックリングがスライドできるように装着され、前記ロックリングと前記ロックフックとが互いに引っ掛かって止め、ケースを閉鎖することができ、
前記固定部品は前記支持ロッド溝の前側に設置されたボタンスライド溝を含み、前記ボタンスライド溝の中にはボタンがスライドできるように装着され、前記ボタンスライド溝と前記支持ロッド溝との間にはスライドロッド溝が連通するように設置され、前記スライドロッド溝の中にはスライドロッドがスライドできるように装着され、前記スライドロッドの前側端面と前記スライドロッド溝の前側内壁との間にはスライドロッドバネが固定的に装着され、前記スライドロッドと前記固定フックとの間には引きひもが固定的に連結され、前記スライドロッドの左側端面には第二固定棒状体が固定的に装着され、前記第二固定棒状体が前記ボタンとスライドできるように連結され、
前記保護部品はまた前記補助クレヨンケースの中に設置された第一置きチャンバと第二置きチャンバとを含み、前記第一置きチャンバの前後内壁には保護クレヨン差しが前後対称的に固定的に装着され、前記上主体の頂壁と前記第一置きチャンバの頂部端面との間にはショック吸収ブロックが固定的に装着され、
前記バックル部品はまた、前記ロックリング溝の右側内壁に設置され、且つ前記バックル箱の右側端面に連通している推しヘッドスライド溝を含み、前記ロックリングの右側端面には推しヘッドが固定的に装着され、前記推しヘッドが前記推しヘッドスライド溝とスライドできるように装着され、前記ロックリング溝の頂壁と前記ロックリングの頂部端面との間には引き動かしバネが固定的に装着されていることを特徴とするクレヨンケース。
【手続補正２】
【補正対象書類名】明細書
【補正対象項目名】全文
【補正方法】変更
【補正の内容】
【発明の詳細な説明】
【技術分野】
【０００１】
本発明は文具用品分野を取り上げて、具体的にはクレヨンケースである。
【背景技術】
【０００２】
クレヨンを置く時、一般的にクレヨンケースにクレヨンを引っかからせることができるプラスチック製クレヨン止めを置き、プラスチック製クレヨン止めはクレヨンが落ちないことを保証できるが、クレヨンを取る時に非常に不便であり、特に取る時、力を入れすぎるとクレヨンを折ってしまうことがあり、クレヨンを置くことにも子供の使用にも不便であり、しかも従来のクレヨンケースの中の空間が小さく、クレヨンを置く空間が有限である。
【先行技術文献】
【特許文献】
【０００３】
【特許文献１】中国特許出願公開第１０１２０９１５１号明細書
【発明の概要】
【発明が解決しようとする課題】
【０００４】
本発明はクレヨンケースを提供し、従来技術における上記欠点を解消することを目的とする。
【課題を解決するための手段】
【０００５】
本発明の実施例のクレヨンケースは、下主体を含み、前記下主体には上主体がヒンジにより装着され、前記下主体の中にはクレヨンをきつく挟むことができる固定部品が設置され、前記固定部品は前記下主体の中に設置された挟み溝を含み、前記挟み溝の後側内壁には挟みブロックが左右対称的にヒンジにより装着され、前記挟みブロックの片側端面と前記挟み溝の片側内壁との間には前記挟みブロックを推し動かしてクレヨンを放させることができる押圧バネが固定的に装着され、前記挟み溝の底壁には前記挟み溝に連通している支持ロッド溝が設置され、前記支持ロッド溝の中にはクレヨンを支持できる支持ロッドがスライドできるように装着され、前記支持ロッドの頂面には置き板が固定的に装着され、前記支持ロッドには推しロッドが固定的に装着され、前記推しロッドと前記挟み溝の底壁との間には推力バネが固定的に装着され、前記挟みブロックの前側端面には第一固定棒状体が固定的に装着され、前記第一固定棒状体が前記推しロッドとスライドできるように連結され、クレヨンが前記支持ロッドを押して下方へ運動させる時、これにより前記推しロッドが前記第一固定棒状体を押し動かし、前記第一固定棒状体が前記挟みブロックを連動させてクレヨンをきつく挟み、前記支持ロッド溝の底壁には固定フックが固定的に装着され、前記固定フックは前記支持ロッドの前側端面に設置された引っ掛かり歯に引っ掛かることができ、これにより前記支持ロッドを固定し、前記上主体には上主体内溝が設置され、前記上主体内溝の中にはクレヨンが折れることを防止できる保護部品が設置され、前記保護部品は前記上主体内溝の中にスライドできるように装着された補助クレヨンケースを含み、前記補助クレヨンケースの底部端面にはスライド蓋がスライドできるように装着され、前記スライド蓋の底部端面には第一スライドカバーが固定的に装着され、前記第一スライドカバーの中には第二スライドカバーが上下方向にスライドできるように装着され、前記第二スライドカバーと前記第一スライドカバーとの間には調節バネが固定的に装着され、これにより直径の大きさが異なるクレヨンに対応でき、前記第二スライドカバーの底部端面には直接にクレヨンと接触できるゴムパッドが固定的に装着され、前記下主体と前記上主体の右側端面にはケース全体を閉鎖できるバックル部品が設置され、前記バックル部品は前記下主体の右側端面に固定的に装着されたロックフックと、前記上主体の右側端面に固定的に装着されたバックル箱とを含み、前記バックル箱の中にはロックリング溝が設置され、前記ロックリング溝の下側内壁と前記バックル箱の下側端面との間にはロックリングがスライドできるように装着され、前記ロックリングと前記ロックフックとが互いに引っ掛かって止め、ケースを閉鎖することができる。
【０００６】
更の技術プランとしては、前記固定部品は前記支持ロッド溝の前側に設置されたボタンスライド溝を含み、前記ボタンスライド溝の中にはボタンがスライドできるように装着され、前記ボタンスライド溝と前記支持ロッド溝との間にはスライドロッド溝が連通するように設置され、前記スライドロッド溝の中にはスライドロッドがスライドできるように装着され、前記スライドロッドの前側端面と前記スライドロッド溝の前側内壁との間にはスライドロッドバネが固定的に装着され、前記スライドロッドと前記固定フックとの間には引きひもが固定的に連結され、前記スライドロッドの左側端面には第二固定棒状体が固定的に装着され、前記第二固定棒状体が前記ボタンとスライドできるように連結されている。
【０００７】
更の技術プランとしては、前記保護部品はまた前記補助クレヨンケースの中に設置された第一置きチャンバと第二置きチャンバとを含み、前記第一置きチャンバの前後内壁には保護クレヨン差しが前後対称的に固定的に装着され、前記上主体の頂壁と前記第一置きチャンバの頂部端面との間にはショック吸収ブロックが固定的に装着されている。
【０００８】
更の技術プランとしては、前記バックル部品はまた、前記ロックリング溝の右側内壁に設置され、且つ前記バックル箱の右側端面に連通している推しヘッドスライド溝を含み、前記ロックリングの右側端面には推しヘッドが固定的に装着され、前記推しヘッドが前記推しヘッドスライド溝とスライドできるように装着され、前記ロックリング溝の頂壁と前記ロックリングの頂部端面との間には引き動かしバネが固定的に装着されている。
【発明の効果】
【０００９】
本発明の有益効果は：本発明はクレヨンを取ること又は置くことに便利を与え、クレヨンを置くところに保護できるゴムパッドが設置され、クレヨンケースの中には二つ目のペンを置くことができるケースが設置され、クレヨンケースの貯蔵空間を増大し、子供の使用に適し、普及する価値がある。
【図面の簡単な説明】
【００１０】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の全体構成模式図
【図２】図２は図１のＡ−Ａ方向の断面構成模式図
【図３】図３は図１のＢ−Ｂ方向の断面構成模式図
【図４】図４は図１のＣ方向の構成模式図
【図５】図５は図１のＤ−Ｄ方向の断面構成模式図
【発明を実施するための形態】
【００１２】
図１〜５を参照し、本発明の実施例のクレヨンケースは、下主体１０を含み、前記下主体１０には上主体３４がヒンジにより装着され、前記下主体１０の中にはクレヨンをきつく挟むことができる固定部品８０が設置され、前記固定部品８０は前記下主体１０の中に設置された挟み溝４４を含み、前記挟み溝４４の後側内壁には挟みブロック１４が左右対称的にヒンジにより装着され、前記挟みブロック１４の片側端面と前記挟み溝４４の片側内壁との間には前記挟みブロック１４を推し動かしてクレヨンを放させることができる押圧バネ１５が固定的に装着され、前記挟み溝４４の底壁には前記挟み溝４４に連通している支持ロッド溝１１が設置され、前記支持ロッド溝１１の中にはクレヨンを支持できる支持ロッド１２がスライドできるように装着され、前記支持ロッド１２の頂面には置き板１８が固定的に装着され、前記支持ロッド１２には推しロッド１７が固定的に装着され、前記推しロッド１７と前記挟み溝４４の底壁との間には推力バネ１３が固定的に装着され、前記挟みブロック１４の前側端面には第一固定棒状体１６が固定的に装着され、前記第一固定棒状体１６が前記推しロッド１７とスライドできるように連結され、クレヨンが前記支持ロッド１２を押して下方へ運動させる時、これにより前記推しロッド１７が前記第一固定棒状体１６を押し動かし、前記第一固定棒状体１６が前記挟みブロック１４を連動させてクレヨンをきつく挟み、前記支持ロッド溝１１の底壁には固定フック４３が固定的に装着され、前記固定フック４３は前記支持ロッド１２の前側端面に設置された引っ掛かり歯に引っ掛かることができ、これにより前記支持ロッド１２を固定し、前記上主体３４には上主体内溝２５が設置され、前記上主体内溝２５の中にはクレヨンが折れることを防止できる保護部品８１が設置され、前記保護部品８１は前記上主体内溝２５の中にスライドできるように装着された補助クレヨンケース２３を含み、前記補助クレヨンケース２３の底部端面にはスライド蓋２２がスライドできるように装着され、前記スライド蓋２２の底部端面には第一スライドカバー２０が固定的に装着され、前記第一スライドカバー２０の中には第二スライドカバー１９が上下方向にスライドできるように装着され、前記第二スライドカバー１９と前記第一スライドカバー２０との間には調節バネ２１が固定的に装着され、これにより直径の大きさが異なるクレヨンに対応でき、前記第二スライドカバー１９の底部端面には直接にクレヨンと接触できるゴムパッド４６が固定的に装着され、前記下主体１０と前記上主体３４の右側端面にはケース全体を閉鎖できるバックル部品８２が設置され、前記バックル部品８２は前記下主体１０の右側端面に固定的に装着されたロックフック３３と、前記上主体３４の右側端面に固定的に装着されたバックル箱２７とを含み、前記バックル箱２７の中にはロックリング溝２８が設置され、前記ロックリング溝２８の下側内壁と前記バックル箱２７の下側端面との間にはロックリング３２がスライドできるように装着され、前記ロックリング３２と前記ロックフック３３とが互いに引っ掛かって止め、ケースを閉鎖することができる。
【００１３】
前記固定部品８０は前記支持ロッド溝１１の前側に設置されたボタンスライド溝３６を含み、前記ボタンスライド溝３６の中にはボタン３７がスライドできるように装着され、前記ボタンスライド溝３６と前記支持ロッド溝１１との間にはスライドロッド溝３８が連通するように設置され、前記スライドロッド溝３８の中にはスライドロッド４１がスライドできるように装着され、前記スライドロッド４１の前側端面と前記スライドロッド溝３８の前側内壁との間にはスライドロッドバネ３９が固定的に装着され、前記スライドロッド４１と前記固定フック４３との間には引きひも４２が固定的に連結され、前記スライドロッド４１の左側端面には第二固定棒状体４０が固定的に装着され、前記第二固定棒状体４０が前記ボタン３７とスライドできるように連結され、これによりクレヨンを置く時、直接にクレヨンを下方へ押して置き板１８に置き、これにより推しロッド１７が挟みブロック１４を推し動かしてクレヨンを挟み、置き板１８が支持ロッド１２を推し動かして下方へスライドさせ、これにより支持ロッド１２にある引っ掛かり歯と固定フック４３とが互いに引っ掛かって止め、支持ロッド１２の位置を固定でき、クレヨンを取る時、ボタン３７を押し、ボタン３７がスライドロッド４１を推し動かして前方へ運動させ、スライドロッド４１が引きひも４２を引き動かし、引きひも４２が固定フック４３を引き動かし、これにより固定フック４３と支持ロッド１２にある引っ掛かり歯とが互いに引っ掛からなく、推力バネ１３が推しロッド１７と支持ロッド１２を推し動かして上方へスライドさせることができ、挟みブロック１４が押圧バネ１５の作用のもとでクレヨンを放すことができ、クレヨンを取り出すことができる。
【００１４】
前記保護部品８１はまた前記補助クレヨンケース２３の中に設置された第一置きチャンバ３５と第二置きチャンバ４７とを含み、前記第一置きチャンバ３５の前後内壁には保護クレヨン差し２６が前後対称的に固定的に装着され、前記上主体３４の頂壁と前記第一置きチャンバ３５の頂部端面との間にはショック吸収ブロック２４が固定的に装着され、これにより上主体３４と下主体１０とが閉じられた後、ゴムパッド４６がクレヨンと直接に接触し、且つクレヨンを置き板１８に固定でき、クレヨンを保護してクレヨンが折れることを防止し、第一置きチャンバ３５の中にペンなどを置くことができ、保護クレヨン差し２６はクレヨンの先を保護できる。
【００１５】
前記バックル部品８２はまた、前記ロックリング溝２８の右側内壁に設置され、且つ前記バックル箱２７の右側端面に連通している推しヘッドスライド溝３０を含み、前記ロックリング３２の右側端面には推しヘッド３１が固定的に装着され、前記推しヘッド３１が前記推しヘッドスライド溝３０とスライドできるように装着され、前記ロックリング溝２８の頂壁と前記ロックリング３２の頂部端面との間には引き動かしバネ２９が固定的に装着され、これにより下主体１０と上主体３４とを閉じた後、推しヘッド３１を推し動かしてロックリング３２を下方へスライドさせ、ロックリング３２とロックフック３３とが引っ掛かった後また解放され、引き動かしバネ２９がロックリング３２とロックフック３３とをずっと引っ掛かるようにすることができ、これによりクレヨンケースをロックする。
【００１６】
使用する時、上主体３４と下主体１０とが閉じられた後、ゴムパッド４６がクレヨンと直接に接触し、且つクレヨンを置き板１８に固定でき、クレヨンを保護してクレヨンが折れることを防止し、推しヘッド３１を推し動かしてロックリング３２を下方へスライドさせ、ロックリング３２とロックフック３３とが引っ掛かった後また解放され、引き動かしバネ２９がロックリング３２とロックフック３３とをずっと引っ掛かるようにすることができ、これによりクレヨンケースをロックし、下方へ推しヘッド３１を推し動かし、これにより上主体３４と下主体１０とが分離した後、直接にクレヨンを下方へ押して置き板１８に置き、これにより推しロッド１７が挟みブロック１４を推し動かしてクレヨンを挟み、置き板１８が支持ロッド１２を推し動かして下方へスライドさせ、これにより支持ロッド１２にある引っ掛かり歯と固定フック４３とが互いに引っ掛かって止め、支持ロッド１２の位置を固定でき、クレヨンを取る時、ボタン３７を押し、ボタン３７がスライドロッド４１を推し動かして前方へ運動させ、スライドロッド４１が引きひも４２を引き動かし、引きひも４２が固定フック４３を引き動かし、これにより固定フック４３と支持ロッド１２にある引っ掛かり歯とが互いに引っ掛からなく、推力バネ１３が推しロッド１７と支持ロッド１２を推し動かして上方へスライドさせることができ、挟みブロック１４が押圧バネ１５の作用のもとでクレヨンを放すことができ、クレヨンを取り出すことができ、補助クレヨンケース２３からスライド蓋２２を開け、第一置きチャンバ３５と第二置きチャンバ４７を開け、第一置きチャンバ３５の中にペンなどを置くことができ、保護クレヨン差し２６はクレヨンの先を保護でき、第二置きチャンバ４７の中に小物を置くことができる。
【００１７】
本発明の有益効果は：本発明はクレヨンを取ること又は置くことに便利を与え、クレヨンを置くところに保護できるゴムパッドが設置され、クレヨンケースの中には二つ目のペンを置くことができるケースが設置され、クレヨンケースの貯蔵空間を増大し、子供の使用に適し、普及する価値がある。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。